(57)【要約】  テレビジョン受信機に、プロセッサ、メモリ、複数のビデオ入力、およびビデオ入力に結合される装置の存在を検出するケーブル検出器が具えられる。プロセッサは、メモリ内に貯えられたセットアップ・プログラムを実行する。プロセッサが、複数のケーブル検出器のうちの１つにより、特定のビデオ入力に結合される装置の存在を検出すると、プロセッサは、複数のラベルのうち、検出された装置に関連する１つのラベルを選択するようユーザの指示を促す。
2007521701.tif 000002
【特許請求の範囲】
【請求項１】
ビデオ入力切替え装置に結合される装置を構成するために、ビデオ入力切替え装置において使用する方法であって、
前記ビデオ入力切替え装置のビデオ入力に結合される装置を検出するステップと、
前記検出された装置とビデオ入力とを関連づけるラベルを選択するよう、ユーザを促すステップと、から成る、前記方法。
【請求項２】
前記検出するステップには、前記ビデオ入力に結合されるケーブルを検出するステップを含む、請求項１記載の方法。
【請求項３】
前記検出するステップには、前記ビデオ入力を通して受信される信号を検出するステップを含む、請求項１記載の方法。
【請求項４】
前記信号を検出するステップには、信号が最初に検出されなければ装置をオンにするようユーザを促すステップを含む、請求項３記載の方法。
【請求項５】
前記ビデオ入力切替え装置がテレビジョン受信機である、請求項１記載の方法。
【請求項６】
前記促すステップには、音声キュー（ａｕｄｉｏ  ｃｕｅ）をユーザに再生するステップを含む、請求項１記載の方法。
【請求項７】
ビデオ入力切替え装置に結合される装置を構成するために、ビデオ入力切替え装置において使用する方法であって、
ビデオ入力切替え装置のビデオ入力に結合される装置を検出するステップと、
検出された装置に応答して、画像を表示し、前記検出された装置とビデオ入力とを関連づけるラベルを選択するようユーザを促すステップと、
ユーザからの応答を受信し、前記検出された装置とビデオ入力とを関連づけるラベルを選択するステップと、から成る、前記方法。
【請求項８】
前記検出するステップには、ビデオ入力に結合されるケーブルを検出するステップを含む、請求項７記載の方法。
【請求項９】
前記検出するステップには、ビデオ入力を通して受信される信号を検出するステップを含む、請求項７記載の方法。
【請求項１０】
前記信号を検出するステップに、信号が最初に検出されなければ装置をオンにするようユーザを促すステップを含む、請求項９記載の方法。
【請求項１１】
前記ビデオ入力切替え装置がテレビジョン受信機である、請求項７記載の方法。
【請求項１２】
前記画像を表示するステップには、検出された装置から受信されるビデオ信号から得られる映像を、該映像の上に前記画像が載せられるよう表示するステップを含む、請求項７記載の方法。
【請求項１３】
複数のビデオ入力を具えるビデオ入力切替え装置において使用する方法であって、
ビデオ入力切替え装置に結合される複数の周辺装置の各々をオンにするようユーザを促すステップと、
前記複数のビデオ入力の各々を選択し、ラベルのリスト（表）から１つのラベルを選択するようユーザを促し、選択されたビデオ入力と或る特定の形式の周辺装置とを関連づけるステップと、から成る、前記方法。
【請求項１４】
前記選択されたビデオ入力で信号が最初に検出される場合にのみ、前記促すステップが実行される、請求項１３記載の方法。
【請求項１５】
前記ビデオ入力切替え装置がテレビジョン受信機である、請求項１３記載の方法。
【請求項１６】
ビデオ入力切替え装置において使用する方法であって、
複数のエントリ（入力事項）から成るテーブルをメモリ内に記憶するステップにおいて、少なくとも１つのエントリがビデオ入力切替え装置のビデオ入力とラベルとを関連づけ、前記ビデオ入力に接続される装置を前記ラベルが識別する、前記記憶するステップと、
テーブルに記入された装置の、ビデオ入力切替え装置からの断絶（接続の切れること）を検出するステップと、
断絶された装置およびそれに関連するラベルの、前記テーブルからの削除を確認するようユーザを促すステップと、から成る、前記方法。
【請求項１７】
前記ビデオ入力切替え装置がテレビジョン受信機である、請求項１６記載の方法。
【請求項１８】
前記促すステップには、音声キューをユーザに再生するステップを含む、請求項１６記載の方法。
【請求項１９】
周辺装置と、
少なくとも１つのビデオ入力を有し且つ該少なくとも１つのビデオ入力を通して前記周辺装置に結合されるビデオ入力切替え装置と、から成る、家庭用娯楽システムにおいて、
前記少なくとも１つのビデオ入力を通して周辺装置を検出すると、周辺装置のラベルを選択するよう前記ビデオ入力切替え装置が自動的にユーザを促す、家庭用娯楽システム。
【請求項２０】
前記ビデオ入力切替え装置が、少なくとも１つのビデオ入力に接続されるケーブルを検出することにより周辺装置を検出する、請求項１９記載の家庭用娯楽システム。
【請求項２１】
前記ビデオ入力切替え装置が、少なくとも１つのビデオ入力を通して受信される信号を検出することにより周辺装置を検出する、請求項１９記載の家庭用娯楽システム。
【請求項２２】
プロセッサと、
少なくとも幾つかのラベルがビデオ入力切替え装置に結合される可能性のある周辺装置を表示する、前記ラベルのリストを記憶するメモリと、
ディスプレイと、
複数のビデオ入力と、を具える、ビデオ入力切替え装置において、
前記プロセッサは、ラベルのリストを自動的に表示し、前記複数のビデオ入力のうち少なくとも１つを通して周辺装置が前記プロセッサに接続されていることを検出すると、表示されたリストから選択するようユーザを促す、前記ビデオ入力切替え装置。
【請求項２３】
前記プロセッサ、前記メモリ、前記ディスプレイ、および前記複数のビデオ入力がテレビジョン受信機の一部である、請求項２２記載のビデオ入力切替え装置。
【請求項２４】
少なくとも１つのケーブル検出器を更に含み、それぞれのビデオ入力に接続されているケーブルを前記ケーブル検出器が検出すると、周辺装置がプロセッサに接続されていることをプロセッサが検出する、請求項２２記載のビデオ入力切替え装置。
【請求項２５】
少なくとも１つのケーブル検出器を更に含み、それぞれのビデオ入力から信号が受信されていることを前記ケーブル検出器が検出すると、周辺装置がプロセッサに接続されていることをプロセッサが検出する、請求項２２記載のビデオ入力切替え装置。
【発明の詳細な説明】
【技術分野】
【０００１】
本発明は一般に、家庭用の娯楽システムに関し、特に、テレビジョン受信機に関する。
【背景技術】
【０００２】
ディジタル・ビデオディスク（ＤＶＤ）プレーヤ、ビデオカセット・レコーダ（ＶＣＲ）などの外部周辺装置を設定（セットアップ）し、あるいはテレビジョン（ＴＶ）受信機に接続する際、これらの装置は複数のビデオ入力を通してＴＶ受信機に接続される。例えば、ＤＶＤプレーヤはビデオ入力１のコネクタに接続され、ＶＣＲはビデオ入力２のコネクタに接続される。これらの周辺装置でビデオを見るためにユーザは、ＴＶ受信機のリモコンのビデオ入力モード・キーにより、ＴＶ受信機の該当するビデオ入力を選択しなければならない。ユーザがビデオ入力モード・キーを押すと、ＴＶ受信機は、利用できるすべてのビデオ・入力を循環し、画面上表示（ＯＳＤ）により、現在接続されているビデオ入力をラベルとして簡潔に表示する。例えば、ビデオ入力１を選択すると、ＴＶ受信機は簡潔に、例えば、ＴＶ画面の右上隅に、ラベル「Ｖｉｄｅｏ  Ｉｎｐｕｔ  １」（ビデオ入力１）を表示する。
【０００３】
しかしながら、ＴＶ受信機のユーザと周辺装置を据え付けた人が同一であるとは限らない。ユーザと装置を据え付けた人が同じでなければ、例えば、ＤＶＤプレーヤにアクセスしようとするとき、ユーザはどのビデオ入力を使用すべきか迷うかもしれない。ユーザと周辺装置を据え付けた人が同一人であっても、ビデオ入力１がＤＶＤプレーヤに接続されていることを思い出すのに困難を感じるかもしれない。
【０００４】
或る特定のビデオ入力に関連するラベルが意味のある省略形に変更されるようユーザが手動でＴＶ受信機を再構成（構成し直す）できることが知られている。ユーザがビデオ入力モード・キーを押すと、ＴＶ受信機は、ＯＳＤで、「ＤＶＤ」、「ＶＣＲ」などとして識別（確認）されるビデオ入力を巡回する。
【０００５】
これで、ユーザによるその後のビデオ入力の選択は簡略化されるが、それでも、ビデオ入力の最初の選択は解消されずに、ＯＳＤに、「ビデオ入力１」などのデフォルト・ラベル（ｄｅｆａｕｌｔ  ｌａｂｅｌ）が依然として表示される。ラベルを手動で変更できることは、当然、誰かがデフォルト・ラベルを意味のある省略形に改めることを想定するが、これが行われるとは限らず、そして／またはラベルを手動で変更する指図をユーザが簡単に実行できることを想定するが、これも事実そうとは限らない。
【発明の開示】
【０００６】
（発明の概要）
上述の事項に鑑み、家庭用娯楽製品または周辺装置をＴＶ受信機のようなビデオ入力切替え装置に接続する際に、家庭用娯楽製品または周辺装置の設定（セットアップ）を簡略化する方法を本発明は実現している。本発明の原理に従うビデオ入力切替え装置は、ビデオ入力切替え装置のビデオ入力に結合される装置を検出して、それに応答し、検出された装置に関連する複数のラベルのうち１つを選択するようユーザを促す（プロンプトする）。
【０００７】
本発明の実施例で、ビデオ入力切替え装置はＴＶ受信機であり、プロセッサ、メモリ、複数のビデオ入力、および対応するケーブル検出器を具え、ビデオ入力に結合される装置の存在を検出する。プロセッサは、メモリ内に貯えられた設定（セットアップ）プログラムを実行する。複数のケーブル検出器のうち１つを介して或る特定のビデオ入力に結合される装置の存在をプロセッサが検出すると、検出された装置に関連する複数のラベルのうちの１つを選択するようユーザを促す。その結果、ユーザは、ＴＶ受信機のビデオ入力を自動的に構成するよう促され、その初期設定、およびその後のビデオ入力モードの選択が簡略化される。
【発明を実施するための最良の形態】
【０００８】
発明的コンセプト以外の、図面に示す諸要素はよく知られており、詳細に述べない。例えば、発明的コンセプト以外の、テレビジョン、およびその構成部品（ケーブル検出器、リモコンなど）はよく知られており、ここでは詳細に述べない。発明的コンセプトは従来のプログラミング技術を使用して実現され、これについてはここで詳細に述べない。最後に、図面上で同様な番号は同様な要素を表す。
【０００９】
図１に、本発明の原理に従う、家庭用娯楽システム５を例示する。家庭用娯楽システム５には、ＶＣＲ１５、ＤＶＤプレーヤ２０およびセットトップ・ボックス３０で代表される外部周辺装置、ＴＶ受信機１０で代表されるビデオ入力切替え装置、およびリモコン２５が含まれる。リモコンは、例えば、赤外線（ＩＲ）信号２６により制御信号をＴＶ受信機１０に供給し、複数のコマンド（電源オン、電源オフ、選局、ビデオ入力モードの選択など）の１つをＴＶ受信機に発する。発明的コンセプトに必要ではないが、リモコン２５は１つまたは複数の周辺装置も制御する。セットトップ・ボックス３０は、ケーブル３２を介し衛星アンテナ（図示せず）またはケーブル・システムのヘッドエンド（図示せず）に結合され、番組コンテンツを受信する。本発明に必要ないが、セットトップ・ボックス３０はＰＳＴＮ（ｐｕｂｌｉｃ−ｓｗｉｔｃｈｅｄ  ｔｅｌｅｐｈｏｎｅ  ｎｅｔｗｏｒｋ：公衆交換電話網）にも結合される。
【００１０】
ＶＣＲ１５、ＤＶＤプレーヤ２０およびセットトップ・ボックス３０はそれぞれ、ケーブル１６、２１、３１を介して、ＴＶ受信機１０のビデオ入力のコネクタ（またはジャック）に結合される。例えば、ＶＣＲ１５はビデオ入力１のコネクタに接続され、ＤＶＤプレーヤ２０はビデオ入力２のコネクタに接続され、セットトップ・ボックス３０はビデオ入力３のコネクタに接続される。ケーブル１６、２１、３１、３２は、同軸ケーブル、光ケーブル、オーディオ／ビデオ（Ａ／Ｖ）ケーブル、複合ビデオ・ケーブル、スーパービデオ（Ｓ‐ビデオ）ケーブル、ルミナンス＆クロミナンス（Ｙ＆Ｃ）ビデオ・ケーブル、コンポーネント（Ｙ、ＰＢ、ＰＲ）ビデオ・ケーブル、赤緑青（ＲＧＢ）ビデオ・ケーブルなどの接続手段を表す。明らかに、周辺装置およびＴＶ受信機は、それぞれのケーブルに接続するために対応する電気的コネクタ（図示せず）を具える。例えば、Ｓ‐ビデオ・ケーブルを使用してＴＶ受信機に接続する場合、変換装置／ケーブル（図示せず）を使用して適正な形式の電気的コネクタに変換しない限り、ＴＶ受信機１０はＳ‐ビデオ・コネクタを具える必要がある。これに関して、ＴＶ受信機１０に代表されるビデオ切替え装置は、各ビデオ入力に関連する幾つかの電気的コネクタ（またはブロック）を具える。例えば、ビデオ入力１は、同軸ケーブル・コネクタ、ＲＧＢコネクタなどのような１ブロックの電気的コネクタを具える。図１に例示するビデオ入力のためのブロック１１は、２つの形式のコネクタ：Ｓ‐ビデオ・コネクタ１２、およびＡ／Ｖコネクタ１３から成る。「有線」接続として説明しているが、周辺装置とビデオ入力切替え装置間の接続はワイヤレス（無線）の場合もある。従って、本文中で使用する用語「ケーブル」は、有線接続とワイヤレス接続の両方を指す。
【００１１】
家庭用娯楽システム５のユーザが、例えば、ＤＶＤプレーヤ２０で映画を見たいと思うとき最初に、ＤＶＤプレーヤ２０に結合されたコネクタに対応するビデオ入力をリモコン２５で選択しなければならない。本例で、ユーザはビデオ入力２を選択しなければならないが、前述のように、ユーザによるビデオ入力の選択には問題がある。従って、私は家庭用の娯楽製品（または周辺装置）をＴＶ受信機のようなビデオ入力切替え装置に接続する際に、家庭用娯楽製品の設定を簡略化する方法を実現している。本発明の原理に従うビデオ入力切替え装置は、ビデオ入力切替え装置のビデオ入力に結合される装置を検出して、複数のラベルのうち、検出された装置に関連する１つを選択するようユーザを促す。ユーザがＴＶ受信機のビデオ入力を自動的に構成するよう促されることによって、初期設定およびその後のビデオ・入力モードの選択が簡略化される。
【００１２】
図２に、本発明の原理に従うＴＶ受信機１０を例示する。本発明の原理に関係するＴＶ受信機１０の要素のみを図示する。ＴＶ受信機１０は複数のケーブル検出回路（ケーブル検出器１３０、１３５、１４０で代表される）、プロセッサ１０５、メモリ１１５、ディスプレイ１２０、および上述の信号をリモコン２５から受信するリモート・インタフェース１１０を具える。ディスプレイ１２０は、複数のディスプレイ、例えば、プラズマ・ディスプレイ、後方投写型ＴＶ、前面投写型ＴＶ、チューブ・ベース（ｔｕｂｅ‐ｂａｓｅｄ）などのうちの１つを代表し、ディスプレイ要素それ自体のみならず、特定の形式のディスプレイ上に画像を表示するために必要な要素も含まれる。プロセッサ１０５は、蓄積プログラム制御プロセッサ（例えば、マイクロプロセッサ）であって、プロセッサ１０５の内部または外部に在り必要に応じて揮発性または不揮発性メモリ１５に貯えられるプログラムを実行する。図２に見られるように、プロセッサ１０５は、ケーブル検出器１３０、１３５、１４０、およびリモート・インタフェース１１０から信号を受信し、ディスプレイ１２０で見られる信号（例えば、データ）を供給する。ＴＶ受信機２０は、Ｎ個（ここで、Ｎ≧１）のビデオ入力を具え、各ビデオ入力は複数のケーブル検出器の１つに関連する。例えば、ケーブル検出器１３０はビデオ入力１と関連し、ケーブル検出器１３５はビデオ入力２と関連し、ケーブル検出器１４０はビデオ入力３に関連する。説明の目的で、図２にビデオ入力を３つだけ示す。ケーブル／周辺装置がＴＶ受信機１０のそれぞれのビデオ入力のコネクタに接続されると、ケーブル検出器１３０、１３５、１４０は、プロセッサ１０５に表示を与えるだけでなく、信号がそれぞれのケーブル上で検出されると、プロセッサ１０５にも表示を与える。
【００１３】
図２と共に図３、４、５、６に関して本発明の原理を説明する。最初、ＴＶ受信機１０のビデオ入力のうちで、或る特定の周辺装置に割り当てられているビデオ入力はないと仮定する。現在、ケーブル１６、２１、３１は、ＴＶ受信機１０に接続されていないと仮定する。ＴＶ受信機１０に電源を入れると、表５０５（図３）に示すように、メモリ１１５に貯えられたデータ構成は最初、予め定められており、Ｎ個のビデオ入力のうちで、周辺装置に割り当てられているものはない。例えば、表５０５で、「ビデオ入力１」は「割り当てられていない」（ｕｎａｓｓｉｇｎｅｄ）。従って、ユーザがリモコン２５のビデオ入力モード・キーを押すと、ＴＶ受信機１０のプロセッサ１０５は、リモート・インタフェース１１０を介してコマンドを受信し、それぞれのビデオ入力に関連するデフォルト・ラベルをディスプレイ１２０に表示するだけである。デフォルト・ラベルはビデオ入力１、ビデオ入力２などに対応する「Ｖｉｄｅｏ  ｉｎｐｕｔ  １、」「Ｖｉｄｅｏ  ｉｎｐｕｔ  ２」などである。これらのデフォルト・ラベル（ｄｅｆａｕｌｔ  ｌａｂｅｌ）はメモリ１１５内に貯えられる。
【００１４】
図４に、本発明の原理に従うフローチャートを例示する。以下の説明で、ＴＶ受信機は周辺装置の存在を自動的に検出し、関連するラベルをその周辺装置に割り当てるようユーザを促す。最初にステップ３０５で、ＴＶ受信機１０は、複数のケーブル検出器の１つによりケーブルの検出を待つ。このステップは、割込み（ｉｎｔｅｒｒｕｐ）動作モードまたはポーリング（ｐｏｌｌｉｎｇ）動作モードで達成される。例えば、ユーザがケーブル１６をＴＶ受信機１０に接続すると仮定する。その結果、ケーブル検出器１３０は、プロセッサ１０５に割込み／中断を与え、ステップ３０５で、ケーブルが検出されたことの信号を送信する。割込みはケーブル検出器１３０から生じたのでステップ３１０で、プロセッサ１０５はそのビデオ入力をビデオ入力１として識別する。ステップ３１５で、ＴＶ受信機１０は、ビデオ入力１に接続されるケーブルで信号の検出を待つ。ケーブル検出器１３０で信号を検出すると、ステップ３５５で、プロセッサ１０５は、識別されたビデオ入力から受信されているビデオ信号をディスプレイ１２０に表示する。これは、図５において、映像４０４（映画のリールとチケット）で示される。映像４０４は、接続された周辺装置からの映像を表す。映像４０４は、周辺装置の形式および製造者を識別するロゴ、あるいは周辺装置の中に現在ロードされているコンテンツまたは周辺装置によって現在受信されているコンテンツからの映像である。文中で、コンテンツとはオーディオ／ビジュアル素材を意味し、これには、衛星またはケーブル・プロバイダなどから供給される、あるいはメディア（ＤＶＤ、カセットテープなど）に貯えられる、番組コンテンツ（映画、電子番組ガイド、メニューなど）が含まれる。ステップ３２１で、図５に示すようにプロセッサ１０５は、ディスプレイ１２０上で、映像４０４の上にＯＳＤ（映像１２１）を載せる。映像または画像１２１には、プロンプト４０１、カーソル４０２およびリスト４０３が含まれる。プロンプト４０１には、リスト４０３内にあるラベル上でのカーソル４０２の動きによって、識別されたビデオ入力（ここでは、ビデオ入力１）に接続された装置を選択するようユーザを促す。リスト４０３には、装置のラベル、例えば、「ＤＶＤ、」「ＶＣＲ、」「Ｇａｍｅ  Ｃｏｎｓｏｌｅ、」などが含まれる。ユーザは、リモコン２５のボタンでカーソル４０２を移動させ、リスト４０３のラベルのうちで、周辺装置に割り当てるために現在カーソル４０２が置かれているラベルの選択をプロセッサ１０５に信号を送る。本例でユーザは、リモコン２５によりリスト４０３のラベルＶＣＲにカーソル４０２を置き、その選択を表示する。ＴＶ受信機１０のリモート・インタフェース１１０を介して受信された選択の表示に応答し、ステップ３２５（図４）で、プロセッサ１０５は、選択したラベルを、識別されたビデオ入力に割り当て、表５０５を変更し、ビデオ入力１にラベル「ＶＣＲ」が割り当てられたことを表示する。従って、意味のある名称が周辺装置に容易に割り当てられ、ユーザは、どのようにしてラベルを手動で装置に割り当てるのか、あるいはどのビデオ入力が装置に結合されているのか、を記憶する必要はない。実際、識別された���デオ入力からの入力ビデオ信号（図５の映像４０４で表す）を使用することにより、ユーザは、そのビデオ入力に関連する周辺装置を素早く識別して、ステップ３２５で、リスト４０３から該当するラベルを選択できる。簡略のため、エラー（誤り）状態はここに記載のフローチャートに示されていない。例えば、ステップ３１５で、プロセッサ１０５が、信号の検出を待っている間に、ケーブルの検出を失うと、上記のプロセスは再スタートされ、または、ステップ３２５で、ユーザが応答しないと、プロセスは所定のタイムアウトの終了後に中止される。
【００１５】
上述の手順は、ＴＶ受信機１０のＮ個のビデオ入力コネクタについて実行される。これに関し、ビデオ入力１とビデオ入力２が何れも上述した方法で割り当てられた後の、表５０５を図６に再び示す。結果として、ユーザによるその後の特定のビデオ入力モードの選択は、テーブル５０５（図６）に示す関連するラベルの使用により簡略化される。図７は、該当するビデオ入力ラベルを表示するために、プロセッサ１０５で実行されるフローチャートを例示する。ステップ７０５で、リモコン２５から受信するビデオ入力モードのコマンドに応答して、プロセッサ１０５は現在選択されているビデオ入力を次のビデオ入力に変更する。例えば、現在選択されているビデオ入力がビデオ入力１であれば、ステップ７０５で、プロセッサ１０５は、ビデオ入力モードのコマンドを受信すると、選択されたビデオ入力をビデオ入力２に変更する。ステップ７１０で、プロセッサ１０５は、ビデオ入力２が現在、テーブル５０５に「割り当てられていない」として表示されているかどうかを確かめる。もしそうである（割り当てられていない）ならば、ステップ７２０で、プロセッサ１０５は、デフォルト・ラベル、例えば「ビデオ入力２」をディスプレイ１２０に表示させる。テーブル５０５に、ビデオ入力２が「割り当てられていない」のではないと表示されていれば、ステップ７１５で、プロセッサ１０５は、テーブル５０５に貯えられたラベル、例えば、「ＤＶＤ」をディスプレイ１２０に表示させる。
【００１６】
発明的コンセプトに従い、他の変更も行われる。例えば、ケーブルのみの検出、あるいは信号のみの検出により、本文中に記述される自動的構成が開始される。識別されたビデオ入力からのビデオ信号の表示は、好ましいが、必要でない。ユーザが同じ形式の装置を複数のビデオ入力に割り当てると、例えば、ユーザが「ＤＶＤ」をビデオ入力１とビデオ入力２に割り当てると、プロセッサ１０５は自動的に各ラベルに接尾辞を添える、例えば、ラベル「ＤＶＤ１」はビデオ入力１に対して、ラベル「ＤＶＤ２」はビデオ入力２に対して、表示されるようにする。このような接尾辞は、テーブル５０５に示すデータ構成に直接付加されるか、またはプロセッサ１０５が関連するラベルをディスプレイ１２０に表示させる前に、テーブル５０５から関連するラベルに「素早く」添付される。図８のフローチャートに別の変形を示す。図８に示すプロセスは、図４について上述したプロセスと同様なものであり、ステップ３４５が追加されている。このステップ３４５で、もしステップ３１５で信号が検出されなければ、プロセッサ１０５は、装置が確実にオンにされるようディスプレイ１２０によりユーザを促す。関連するラベルを既に有するビデオ入力のコネクタからの、ケーブルのその後の断絶（接続を切ること）に対応するよう上述のプロセスを変更できる。これを図９のフローチャートに示す。
【００１７】
ステップ９０５で、ＴＶ受信機１０は、複数のケーブル検出器の１つによる、ケーブルの断絶の検出を待つ。図４のステップと同様、このステップは、割込み動作モードまたはポーリング動作モードにより、達成される。例えば、ユーザがケーブル１６をＴＶ受信機１０から断絶すると仮定する。その結果、ケーブル検出器１３０は、プロセッサ１０５に割込み／中断を与え、ステップ９０５で、ケーブルが外されたことをシグナルする。割込みはケーブル検出器１３０から生じたので、ステップ９１０で、プロセッサ１０５はそのビデオ入力をビデオ入力１として識別する。ステップ９１５で、プロセッサ１０５は、ユーザに見せるプロンプトをディスプレイ１２０に表示する。図１０に、ＯＳＤ映像９２１を例示する。映像９２１には、プロンプト９０１、カーソル９０２、およびリスト９０３が含まれる。プロンプト９０１に含まれるテキストは、識別されたビデオ入力（ここでは、ビデオ入力１）に接続された装置の除去を、リスト９０３における「ＹＥＳ」か「ＮＯ」を選択するカーソル９０２の移動で確認するようユーザを促す。ユーザは、リモコン２５のボタン（図示せず）でカーソル９０２を移動させる。また、ユーザは、周辺装置に割り当てるためにカーソル９０２が現在置かれているリスト９０３の「ＹＥＳ」か「ＮＯ」の選択をプロセッサ１０５に信号を送る。ステップ９２０（図９）でユーザが「ＮＯ」を選択すると、プロセッサ１０５は、識別されたビデオ入力に関連するラベルを変更しない。ステップ９２０で「ＹＥＳ」を選択すると、ステップ９２５でプロセッサ１０５は、識別されたビデオ入力のラベルを変更し、関連するデフォルト・ラベルに戻す。ユーザが何を選択しても、ユーザがビデオ入力に再び接続するときに、前述した図４のフローチャートが実行され、ビデオ入力に関連するラベルを変更する機会をユーザに自動的に与える。勿論、ＴＶ受信機１０がその能力をサポートするなら、ユーザは常に、当技術分野で知られるように、ラベルを手動で編集できる。
【００１８】
図１１に、本発明の原理に従う別の変形を示す。図１１は、接続されたすべての装置を自動的に構成する際のフローチャートを例示する。ＴＶ受信機の別個の設定コマンドにより、あるいはＴＶ受信機の初期設定で、このような自動的構成モードに入れる。ステップ２１０で、ＴＶ受信機１０は、Ｎ個のビデオ入力のうち１つ（例えば、ビデオ入力１）を選択する。ステップ２１５で、ＴＶ受信機１０は、上述したように、関連するラベルを割り当てる。ステップ２２０で、ＴＶ受信機１０は、Ｎ個のビデオ入力がすべて処理されているかどうか点検する。処理されていなければ、ステップ２１０に戻り、次のビデオ入力を選択する。Ｎ個のビデオ入力がすべて処理されていれば手順は終了する。更なる例として、図１２に、ステップ２１５についてのフローチャートを示す。このフローチャートは、上述したフローチャートと同様なものであり、番号も同じである。ステップ３１５で、ＴＶ受信機１０は、選択されたビデオ入力に接続されるケーブルでの信号の検出を待つ。例えば、所定のタイムアウト（ｔｉｍｅ‐ｏｕｔ）の終了時に、信号が検出されなければ、ＴＶ受信機１０はステップ２２０に進み、残りのビデオ入力を処理しつづける。しかしながら、信号が検出されると、ステップ３５５で、ＴＶ受信機１０は選択されたビデオ入力から受信されているビデオ信号を表示する。次に、ステップ３２１（図４）で、ＴＶ受信機１０は映像１２１をビデオ信号からの映像４０４の上に重ねる。ステップ３２５で、ＴＶ受信機１０は視聴者が選択したラベルを割り当て、ステップ２２０に進む。
【００１９】
発明的コンセプトをＴＶ受信機に関連して説明したが、この発明的コンセプトは、これに限定されず、周辺装置をＴＶ受信機、モニタ、オーディオ‐ビデオ受信機などの、ビデオ入力切替え装置に接続する際、周辺装置の構成に応用される。テレビジョン受信機１０内に束ねられた要素として図示されているが、これらの諸要素は、任意に組み合わされて異なる装置内に配分される。例えば、ビデオ入力およびプロセッサ１０５は、ディスプレイ１２０から離れた物理的に独立型の装置であり、プロセッサ１０５は、有線または無線のインタフェースを介し、ディスプレイ１２０などに結合される。発明的コンセプトは、ユーザに視覚的プロンプトを与えるためにＯＳＤの使用に関して説明したが、ＯＳＤに代り、またはＯＳＤに加えて、オーディオ、例えば、音声によるプロンプトも使用できる。プロセッサ１０５がディスプレイ１２０上にテキスト・プロンプト４０１を表示するとき、プロセッサ１０５は、貯えられているオーディオ・ファイルまたはオーディオ・レコーディングをテレビジョン受信機１０のスピーカ（図示せず）を通してメモリ１１５から再生し、ユーザに音声キュー（ａｕｄｉｏ  ｃｕｅ）を提供できる。テレビジョン受信機１０で音声キューをシンセサイズすることもできる。
【００２０】
上述した事項は単に、本発明の原理を例示したものにすぎず、従って、当業者は、本発明の原理を具現化しその技術思想と範囲内にある多数の代替構成（本文中に明記されていないが）を創案できることが理解されるであろう。別個の機能的要素として例示されているが、これらの機能的諸要素は、一個または複数個の集積回路（ＩＣ）上に具現化される。別個の要素として示されているが、すべての要素は蓄積プログラム制御プロセッサにおいて実現される。従って、実施例に多数の変更が行われ且つクレームに記載の本発明の技術思想と範囲から逸脱することなく他の構成も創案できることが、理解される。
【図面の簡単な説明】
【００２１】
【図１】本発明の原理を具現化する、家庭用娯楽システムを例示する。
【図２】本発明の原理に従う、テレビジョン受信機を例示する。
【図３】図２のテレビジョン受信機に使用するデータ構成を例示する。
【図４】本発明の原理に従う、フローチャートを例示する。
【図５】本発明の原理に従う、画面上表示（ＯＳＤ）を例示する。
【図６】図３のデータ構成の別の例を示す。
【図７】本発明の原理に従う、他のフローチャートを例示する。
【図８】本発明の原理に従う、他のフローチャートを例示する。
【図９】本発明の原理に従う、他のフローチャートを例示する。
【図１０】本発明の原理に従う、別の画面上表示（ＯＳＤ）例示する。
【図１１】本発明の原理に従う、他のフローチャートを例示する。
【図１２】本発明の原理に従う、他のフローチャートを例示する。
【図１】
2007521701.tif 000003
【図２】
2007521701.tif 000004
【図３】
2007521701.tif 000005
【図４】
2007521701.tif 000006
【図５】
2007521701.tif 000007
【図６】
2007521701.tif 000008
【図７】
2007521701.tif 000009
【図８】
2007521701.tif 000010
【図９】
2007521701.tif 000011
【図１０】
2007521701.tif 000012
【図１１】
2007521701.tif 000013
【図１２】
2007521701.tif 000014
【手続補正書】
【提出日】平成18年10月4日(2006.10.4)
【手続補正１】
【補正対象書類名】特許請求の範囲
【補正対象項目名】全文
【補正方法】変更
【補正の内容】
【特許請求の範囲】
【請求項１】
ビデオ入力切替え装置に結合される装置を構成するために、ビデオ入力切替え装置において使用する方法であって、
前記ビデオ入力切替え装置のビデオ入力に結合される装置を検出するステップと、
前記検出された装置と前記ビデオ入力とを関連づけるラベルを選択するよう、ユーザを促すステップと、
から成る、前記方法。
【請求項２】
前記検出するステップには、前記ビデオ入力に結合されるケーブルを検出するステップを含む、請求項１記載の方法。
【請求項３】
前記検出するステップには、前記ビデオ入力を通して受信される信号を検出するステップを含む、請求項１記載の方法。
【請求項４】
前記信号を検出するステップには、信号が最初に検出されなければ装置をオンにするようユーザを促すステップを含む、請求項３記載の方法。
【請求項５】
前記ビデオ入力切替え装置が、テレビジョン受信機である、請求項１記載の方法。
【請求項６】
前記促すステップには、音声キューをユーザに再生するステップを含む、請求項１記載の方法。
【請求項７】
ビデオ入力切替え装置に結合される装置を構成するために、ビデオ入力切替え装置において使用する方法であって、
前記ビデオ入力切替え装置のビデオ入力に結合される装置を検出するステップと、
前記検出された装置に応答して、画像を表示し、前記検出された装置と前記ビデオ入力とを関連づけるラベルを選択するようユーザを促すステップと、
ユーザからの応答を受信し、前記検出された装置と前記ビデオ入力とを関連づけるラベルを選択するステップと、
から成る、前記方法。
【請求項８】
前記検出するステップには、前記ビデオ入力に結合されるケーブルを検出するステップを含む、請求項７記載の方法。
【請求項９】
前記検出するステップには、前記ビデオ入力を通して受信される信号を検出するステップを含む、請求項７記載の方法。
【請求項１０】
前記信号を検出するステップに、信号が最初に検出されなければ装置をオンにするようユーザを促すステップを含む、請求項９記載の方法。
【請求項１１】
前記ビデオ入力切替え装置が、テレビジョン受信機である、請求項７記載の方法。
【請求項１２】
前記画像を表示するステップには、前記検出された装置から受信されるビデオ信号から得られる映像を、該映像の上に前記画像が載せられるよう表示するステップを含む、請求項７記載の方法。
【請求項１３】
複数のビデオ入力を具えるビデオ入力切替え装置において使用する方法であって、
前記ビデオ入力切替え装置に結合される複数の周辺装置の各々をオンにするようユーザを促すステップと、
前記複数のビデオ入力の各々を選択し、ラベルのリストから１つのラベルを選択するようユーザを促し、前記選択されたビデオ入力と或る特定の形式の周辺装置とを関連づけるステップと、
から成る、前記方法。
【請求項１４】
前記選択されたビデオ入力で信号が最初に検出される場合にのみ、前記促すステップが実行される、請求項１３記載の方法。
【請求項１５】
前記ビデオ入力切替え装置が、テレビジョン受信機である、請求項１３記載の方法。
【請求項１６】
ビデオ入力切替え装置において使用する方法であって、
複数のエントリから成るテーブルをメモリ内に記憶するステップであって、少なくとも１つのエントリが前記ビデオ入力切替え装置のビデオ入力とラベルとを関連づけ、前記ビデオ入力に接続される装置を前記ラベルが識別する、前記記憶するステップと、
前記テーブルに記入された装置の、前記ビデオ入力切替え装置からの断絶を検出するステップと、
前記断絶された装置およびそれに関連するラベルの、前記テーブルからの削除を確認するようユーザを促すステップと、
から成る、前記方法。
【請求項１７】
前記ビデオ入力切替え装置が、テレビジョン受信機である、請求項１６記載の方法。
【請求項１８】
前記促すステップには、音声キューをユーザに再生するステップを含む、請求項１６記載の方法。
【請求項１９】
周辺装置と、
少なくとも１つのビデオ入力を有し、且つ該少なくとも１つのビデオ入力を通して前記周辺装置に結合されるビデオ入力切替え装置と、
から成る、家庭用娯楽システムであって、
前記少なくとも１つのビデオ入力を通して前記周辺装置を検出すると、前記周辺装置のラベルを選択するよう前記ビデオ入力切替え装置が自動的にユーザを促す、前記家庭用娯楽システム。
【請求項２０】
前記ビデオ入力切替え装置が、少なくとも１つの前記ビデオ入力に接続されるケーブルを検出することにより前記周辺装置を検出する、請求項１９記載の家庭用娯楽システム。
【請求項２１】
前記ビデオ入力切替え装置が、少なくとも１つの前記ビデオ入力を通して受信される信号を検出することにより前記周辺装置を検出する、請求項１９記載の家庭用娯楽システム。
【請求項２２】
プロセッサと、
少なくとも幾つかのラベルがビデオ入力切替え装置に結合される可能性のある周辺装置を表示する、前記ラベルのリストを記憶するメモリと、
ディスプレイと、
複数のビデオ入力と、
を具える、ビデオ入力切替え装置であって、
前記プロセッサは、ラベルのリストを自動的に表示し、前記複数のビデオ入力のうち少なくとも１つを通して周辺装置が前記プロセッサに接続されていることを検出すると、表示されたリストから選択するようユーザを促す、前記ビデオ入力切替え装置。
【請求項２３】
前記プロセッサ、前記メモリ、前記ディスプレイ、および前記複数のビデオ入力がテレビジョン受信機の一部である、請求項２２記載のビデオ入力切替え装置。
【請求項２４】
少なくとも１つのケーブル検出器を更に含み、それぞれのビデオ入力に接続されているケーブルを前記ケーブル検出器が検出すると、周辺装置がプロセッサに接続されていることをプロセッサが検出する、請求項２２記載のビデオ入力切替え装置。
【請求項２５】
少なくとも１つのケーブル検出器を更に含み、それぞれのビデオ入力から信号が受信されていることを前記ケーブル検出器が検出すると、周辺装置がプロセッサに接続されていることをプロセッサが検出する、請求項２２記載のビデオ入力切替え装置。
【国際調査報告】
2007521701.tif 000015
2007521701.tif 000016